(57)【要約】  商品のチェックアウトを行うチェックアウトシステムであって、商品に関するデータが第１商品データとして登録されている第１の商品と異なる第２の商品を指定するＬＣＤタッチスクリーン１１と、提示された第１の商品である提示商品を認識するバーコードスキャナ１２と、ＬＣＤタッチスクリーン１１により第２の商品として指定された提示された提示商品が第２の商品でないことを判断する制御部３１４とを備えた。【特許請求の範囲】
【請求項１】
商品のチェックアウトを行うチェックアウトシステムであって、
商品に関するデータが第１商品データとして登録されている第１の商品と異なる第２の商品を指定する第２商品指定部と、
提示された第１の商品である提示商品を認識する認識部と、
前記第２商品指定部により第２の商品として指定されて提示された前記提示商品が第２の商品でないことを判断する判断部と
を備えてなるチェックアウトシステム。
【請求項２】
請求項１に記載のチェックアウトシステムにおいて、
前記認識部により認識された第１の商品の第１商品データを取得する第１商品データ取得部を備え、
前記判断部は、前記第１商品データ取得部により取得された第１商品データを用いて前記提示商品が第２の商品でないことを判断することを特徴とするチェックアウトシステム。
【請求項３】
請求項２に記載のチェックアウトシステムにおいて、
前記第１商品データは第１の商品に付されたタグのタグデータを含み、
前記認識部は提示される商品に付されたタグのタグデータを読み取るタグリーダを備えていることを特徴とするチェックアウトシステム。
【請求項４】
請求項２または請求項３に記載のチェックアウトシステムにおいて、
前記第１商品データは第１の商品に付されたタグのタグデータを含み、
前記判断部は提示される商品に付されたタグのタグデータを読み取るタグリーダを備えていることを特徴とするチェックアウトシステム。
【請求項５】
請求項２乃至請求項４のいずれかにに記載のチェックアウトシステムにおいて、
前記第１商品データは第１の商品の重量を含み、
前記判断部は提示される商品の重量を計測する重量計測部を備えていることを特徴とするチェックアウトシステム。
【請求項６】
請求項１に記載のチェックアウトシステムにおいて、
第２の商品に関するデータである第２商品データを取得する第２商品データ取得部を備え、
前記判断部は、前記第２商品データ取得部により取得された第２商品データを用いて前記提示商品が第２の商品でないことを判断することを特徴とするチェックアウトシステム。
【請求項７】
請求項６に記載のチェックアウトシステムにおいて、
前記第２商品データは商品のサイズに関するパラメータを含み、
前記判断部は提示される商品の前記サイズに関するパラメータを検出するサイズパラメータ検出部を備えていることを特徴とするチェックアウトシステム。
【請求項８】
請求項６に記載のチェックアウトシステムにおいて、
前記第２商品データは商品の形状を含み、
前記判断部は提示される商品の形状を検出する形状検出部を備えていることを特徴とするチェックアウトシステム。
【請求項９】
請求項１乃至請求項８のいずれかに記載のチェックアウトシステムにおいて、
前記判断部により前記提示商品が第２の商品でないと判断された場合は、前記第２商品指定部により第２の商品として指定される前の状態に戻すことを特徴とするチェックアウトシステム。
【請求項１０】
請求項１乃至請求項のいずれかに記載のチェックアウトシステムにおいて、
前記判断部により第２の商品でないと判断された場合は、アラーム通知を発するアラーム通知部を備えていることを特徴とするチェックアウトシステム。
【請求項１１】
商品のチェックアウトを行うチェックアウトシステム制御方法をコンピュータに実行させるチェックアウトシステム制御プログラムであって、
商品に関するデータが第１商品データとして登録されている第１の商品と異なる第２の商品を指定する第２商品指定ステップと、
提示された第１の商品である提示商品を認識する認識ステップと、
前記第２商品指定ステップにより第２の商品として指定されて提示された前記提示商品が第２の商品でないことを判断する判断ステップと
をコンピュータに実行させるチェックアウトシステム制御プログラム。
【請求項１２】
請求項１１に記載のチェックアウトシステム制御プログラムにおいて、
認識ステップと判断ステップの間に、前記認識ステップにより認識された第１の商品の第１商品データを取得する第１商品データ取得ステップをコンピュータに実行させ、
前記判断ステップは、前記第１商品データ取得ステップにより取得された第１商品データを用いて前記提示商品が第２の商品でないことを判断することを特徴とするチェックアウトシステム制御プログラム。
【請求項１３】
請求項１２に記載のチェックアウトシステム制御プログラムにおいて、
前記第１商品データは第１の商品に付されたタグのタグデータを含み、
前記認識ステップは提示される商品に付されたタグのタグデータを読み取ることを特徴とするチェックアウトシステム制御プログラム。
【請求項１４】
請求項１２または請求項１３のいずれかに記載のチェックアウトシステム制御プログラムにおいて、
前記第１商品データは第１の商品に付されたタグのタグデータを含み、
前記判断ステップは提示される商品に付されたタグのタグデータを読み取ることを特徴とするチェックアウトシステム制御プログラム。
【請求項１５】
請求項１２乃至請求項１４のいずれかに記載のチェックアウトシステム制御プログラムにおいて、
前記第１商品データは第１の商品の重量を含み、
前記判断ステップは提示される商品の重量を計測することを特徴とするチェックアウトシステム制御プログラム。
【請求項１６】
請求項１１に記載のチェックアウトシステム制御プログラムにおいて、
認識ステップと判断ステップの間に、第２の商品に関するデータである第２商品データを取得する第２商品データ取得ステップをコンピュータに実行させ、
前記判断部は、前記第２商品データ取得ステップにより取得された第２商品データを用いて前記提示商品が第２の商品でないことを判断することを特徴とするチェックアウトシステム制御プログラム。
【請求項１７】
請求項１１乃至請求項１６のいずれかに記載のチェックアウトシステム制御プログラムにおいて、
前記判断ステップの後、前記判断ステップにより第２の商品でないと判断された場合は、アラーム通知を発するアラーム通知ステップをコンピュータに実行させることを特徴とするチェックアウトシステム制御プログラム。
【請求項１８】
商品のチェックアウトを行うチェックアウトシステム制御方法であって、
商品に関するデータが第１商品データとして登録されている第１の商品と異なる第２の商品を指定する第２商品指定ステップと、
提示された第１の商品である提示商品を認識する認識ステップと、
前記第２商品指定ステップにより第２の商品として指定されて提示された前記提示商品が第２の商品でないことを判断する判断ステップと
を実行するチェックアウトシステム制御方法。
【請求項１９】
請求項１８に記載のチェックアウトシステム制御方法において、
認識ステップと判断ステップの間に、前記認識ステップにより認識された第１の商品の第１商品データを取得する第１商品データ取得ステップを実行し、
前記判断ステップは、前記第１商品データ取得ステップにより取得された第１商品データを用いて前記提示商品が第２の商品でないことを判断することを特徴とするチェックアウトシステム制御方法。
【請求項２０】
請求項１８に記載のチェックアウトシステム制御方法において、
認識ステップと判断ステップの間に、第２の商品に関するデータである第２商品データを取得する第２商品データ取得ステップを実行し、
前記判断部は、前記第２商品データ取得ステップにより取得された第２商品データを用いて前記提示商品が第２の商品でないことを判断することを特徴とするチェックアウトシステム制御方法。
【発明の詳細な説明】
【技術分野】
【０００１】
本発明は、商品のチェックアウトを行うチェックアウトシステム、チェックアウトシステム制御プログラム、チェックアウトシステム制御方法に関するものである。
【背景技術】
【０００２】
流通市場において商品のチェックアウトを行うチェックアウトシステムを実現するために、ほとんどの商品にタグが貼付される。特に、バーコードが記されたタグが広く用いられている。【０００３】
予めバーコードが貼付された商品（バーコードあり商品）は、バーコードスキャナでバーコードが読み取られることにより、チェックアウトが行われる。一方、バーコードが貼付されていない商品（バーコードなし商品）は、タッチスクリーンに表示された商品名や数量等をユーザが選択することにより、チェックアウトが行われる。【０００４】
しかし、顧客が自らチェックアウトを行うセルフチェックアウトシステムにおいては、上述したバーコードなし商品のチェックアウト方法が悪用される場合がある。すなわち、ステーキ等の高額なバーコードあり商品をバナナ等の低額なバーコードなし商品と偽ってチェックアウトする不正操作が行われ、店舗側が損害を被る場合がある。このような不正操作の対策が施されたチェックアウトシステムとして、２種類のセルフチェックアウトシステムについて説明する。【０００５】
まず、従来の第１のセルフチェックアウトシステムとして、バーコードスキャナ近傍と商品袋置き場に商品計測部を備えたセルフチェックアウトシステムについて説明する。図１８は、従来の第１のセルフチェックアウトシステムの構成の一例を示すブロック図である。このセルフチェックアウトシステムは、このセルフチェックアウトシステムは、セルフチェックアウト制御装置１０１、商品籠置き場２、商品袋置き場３、商品データベース６を備える。また、セルフチェックアウト制御装置１０１は、ＬＣＤタッチスクリーン１１、バーコードスキャナ１２、決済部１３、制御部１１４、通信部１５、商品計測部２１、商品仮置き台２２を備える。商品袋置き場３は、商品袋計測部４を備える。【０００６】
商品籠置き場２は、商品籠に入ったチェックアウト前の商品を置く場所である。商品袋置き場３は、袋を開いて掛けておく場所であり、更にチェックアウト後の商品を袋に入れる場所である。ＬＣＤタッチスクリーン１１は、ユーザに対する情報の表示を行うと共に、ユーザによる操作を受け付ける。バーコードスキャナ１２は、レーザ走査線を商品に照射し、商品に貼付されたバーコードを読み取る。決済部１３は、紙幣による入出金を行う。制御部１１４は、セルフチェックアウトシステムにおける各部の制御を行う。通信部１５は、商品データベース６や外部の店員用端末との通信を行う。【０００７】
商品袋計測部４は、商品袋置き場３に置かれた商品の重量を袋ごと計測する。商品仮置き台２２は、ＬＣＤタッチスクリーン１１に表示された指示に従ってユーザがバーコードなし商品を一時的に置く台であり、商品計測部２１は、商品仮置き台２２に置かれた商品の重量を計測する。【０００８】
バーコードあり商品のチェックアウトを行う場合、制御部１１４は、バーコードスキャナ１２で商品に添付されたバーコードを読み取り、商品データベース６からバーコード情報に対応する商品情報を取得する。商品データベース６の商品情報には、商品の種類や価格の他に、商品の重量が登録されている。次に、ユーザが商品を商品袋置き場３に置くと、商品袋計測部４が商品袋全体の重量を計測し、制御部１１４は商品袋計測部４における重量の増分を算出し、制御部１１４は商品データベース６から得られた商品の重量の登録値と商品袋計測部４から得られた重量の増分の計測値を比較し、２つの値の差が所定範囲内であれば、商品の売り上げ登録を行う。また、２つの値の差が所定範囲を超えた場合に不正操作が行われたと判断する。【０００９】
一方、バーコードなし商品のチェックアウトを行う場合、ユーザがＬＣＤタッチスクリーン１１でバーコードなし商品の選択を行うと、制御部１１４は商品を商品仮置き台２２の上に置くようにＬＣＤタッチスクリーン１１に表示させ、強要する。ユーザが商品を商品仮置き台２２に置くと、商品計測部２１で重量が計測される。次に、ユーザが商品を商品袋置き場３に置くと、商品袋計測部４が商品袋全体の重量を計測し、制御部１１４は商品袋計測部４における重量の増分を算出し、制御部１１４は商品計測部２１から得られた重量の計測値と商品袋計測部４から得られた重量の増分の計測値を比較し、２つの値の差が所定範囲内であれば、商品の売り上げ登録を行う。また、２つの値の差が所定範囲を超えた場合に不正操作が行われたと判断する。【００１０】
次に、従来の第２のセルフチェックアウトシステムとして、商品籠置き場と商品袋置き場に商品計測部を備えたセルフチェックアウトシステムについて説明する。図１９は、従来の第２のセルフチェックアウトシステムの構成の一例を示すブロック図である。図１９において、図１８と同一符号は図１８に示された対象と同一又は相当物を示しており、ここでの説明を省略する。【００１１】
図１８と比較すると図１９は、セルフチェックアウトシステム制御装置１０１の代わりにセルフチェックアウトシステム制御装置２０１を備え、商品データベース６の代わりに商品データベース２０６を備える。また、セルフチェックアウトシステム制御装置１０１と比較するとセルフチェックアウトシステム制御装置２０１は、制御部１１４の代わりに制御部２１４を備え、新たに商品籠計測部５を備え、商品計測部２１と商品仮置き台２２を必要としない。商品籠置き場２は、商品籠計測部５を備える。【００１２】
バーコードあり商品のチェックアウトを行う場合は、従来の第１のセルフチェックアウトシステムと同様である。【００１３】
商品籠計測部５は、商品籠置き場５に置かれた商品の重量を籠ごと計測している。ユーザがＬＣＤタッチスクリーン１１でバーコードなし商品のチェックアウトの操作を行い、ユーザが商品を商品袋置き場３に置くと、商品袋計測部４が商品袋全体の重量を計測し、制御部２１４は商品袋計測部４における重量の増分を算出すると共に商品籠計測部５における重量の減分を算出し、制御部１１４は商品籠計測部５から得られた重量の減分と商品袋計測部４から得られた重量の増分を比較し、２つの値の差が所定範囲内であれば、商品の売り上げ登録を行う。また、２つの値の差が所定範囲を超えた場合に不正操作が行われたと判断する。【００１４】
なお、本発明の関連ある従来技術として、例えば、下記に示す特許文献１が知られている。このセルフスキャニングシステム装置は、セルフスキャニングで得られた商品情報に含まれる商品重量と、搬入コンベアの上流側と下流側の計量器で計量された重量を比較し、その商品の同一性を確認するものである。
【特許文献１】特開平５−２６６３２２号公報
【発明の開示】
【発明が解決しようとする課題】
【００１５】
しかしながら、上述したセルフチェックアウトシステムでは、チェックアウト操作の前後で重量が変化するような不正操作によるチェックアウトを防止することはできるが、バーコードなし商品のチェックアウトの操作を行った場合、購入したい旨の宣言（選択）された商品（バナナ）と故意に異なるたとえば高額商品（ステーキ、ＤＶＤなど）を操作した場合、あるいは複数個の商品を同時に操作した場合においても、２ヶ所で得られる商品の重量の計測値に差が生じないため、不正操作によるチェックアウトが可能となってしまうという問題がある。【００１６】
本発明は上述した問題点を解決するためになされたものであり、不正操作を防止するチェックアウトシステム、チェックアウトシステム制御プログラム、チェックアウトシステム制御方法を提供することを目的とする。
【課題を解決するための手段】
【００１７】
上述した課題を解決するため、本発明は、商品のチェックアウトを行うチェックアウトシステムであって、商品に関するデータが第１商品データとして登録されている第１の商品と異なる第２の商品を指定する第２商品指定部と、提示された第１の商品である提示商品を認識する認識部と、前記第２商品指定部により第２の商品として指定されて提示された前記提示商品が第２の商品でないことを判断する判断部とを備えたものである。【００１８】
また、本発明に係るチェックアウトシステムにおいて、前記認識部により認識された第１の商品の第１商品データを取得する第１商品データ取得部を備え、前記判断部は、前記第１商品データ取得部により取得された第１商品データを用いて前記提示商品が第２の商品でないことを判断することを特徴とするものである。【００１９】
また、本発明に係るチェックアウトシステムにおいて、前記第１商品データは第１の商品に付されたタグのタグデータを含み、前記認識部は提示される商品に付されたタグのタグデータを読み取るタグリーダを備えていることを特徴とするものである。【００２０】
また、本発明に係るチェックアウトシステムにおいて、前記第１商品データは第１の商品に付されたタグのタグデータを含み、前記判断部は提示される商品に付されたタグのタグデータを読み取るタグリーダを備えていることを特徴とするものである。【００２１】
また、本発明に係るチェックアウトシステムにおいて、前記第１商品データは第１の商品の重量を含み、前記判断部は提示される商品の重量を計測する重量計測部を備えていることを特徴とするものである。【００２２】
また、本発明に係るチェックアウトシステムにおいて、第２の商品に関するデータである第２商品データを取得する第２商品データ取得部を備え、前記判断部は、前記第２商品データ取得部により取得された第２商品データを用いて前記提示商品が第２の商品でないことを判断することを特徴とするものである。【００２３】
また、本発明に係るチェックアウトシステムにおいて、前記第２商品データは商品のサイズに関するパラメータを含み、前記判断部は提示される商品の前記サイズに関するパラメータを検出するサイズパラメータ検出部を備えていることを特徴とするものである。【００２４】
また、本発明に係るチェックアウトシステムにおいて、前記第２商品データは商品の形状を含み、前記判断部は提示される商品の形状を検出する形状検出部を備えていることを特徴とするものである。【００２５】
また、本発明に係るチェックアウトシステムにおいて、前記判断部により前記提示商品が第２の商品でないと判断された場合は、前記第２商品指定部により第２の商品として指定される前の状態に戻すことを特徴とするものである。【００２６】
また、本発明に係るチェックアウトシステムにおいて、前記判断部により第２の商品でないと判断された場合は、アラーム通知を発するアラーム通知部を備えていることを特徴とするものである。【００２７】
また、本発明は、商品のチェックアウトを行うチェックアウトシステム制御方法をコンピュータに実行させるチェックアウトシステム制御プログラムであって、商品に関するデータが第１商品データとして登録されている第１の商品と異なる第２の商品を指定する第２商品指定ステップと、提示された第１の商品である提示商品を認識する認識ステップと、前記第２商品指定ステップにより第２の商品として指定されて提示された前記提示商品が第２の商品でないことを判断する判断ステップとをコンピュータに実行させるものである。【００２８】
また、本発明に係るチェックアウトシステム制御プログラムにおいて、認識ステップと判断ステップの間に、前記認識ステップにより認識された第１の商品の第１商品データを取得する第１商品データ取得ステップをコンピュータに実行させ、前記判断ステップは、前記第１商品データ取得ステップにより取得された第１商品データを用いて前記提示商品が第２の商品でないことを判断することを特徴とするものである。【００２９】
また、本発明に係るチェックアウトシステム制御プログラムにおいて、前記第１商品データは第１の商品に付されたタグのタグデータを含み、前記認識ステップは提示される商品に付されたタグのタグデータを読み取ることを特徴とするものである。【００３０】
また、本発明に係るチェックアウトシステム制御プログラムにおいて、前記第１商品データは第１の商品に付されたタグのタグデータを含み、前記判断ステップは提示される商品に付されたタグのタグデータを読み取ることを特徴とするものである。【００３１】
また、本発明に係るチェックアウトシステム制御プログラムにおいて、前記第１商品データは第１の商品の重量を含み、前記判断ステップは提示される商品の重量を計測することを特徴とするものである。【００３２】
また、本発明に係るチェックアウトシステム制御プログラムにおいて、認識ステップと判断ステップの間に、第２の商品に関するデータである第２商品データを取得する第２商品データ取得ステップをコンピュータに実行させ、前記判断部は、前記第２商品データ取得ステップにより取得された第２商品データを用いて前記提示商品が第２の商品でないことを判断することを特徴とするものである。【００３３】
また、本発明に係るチェックアウトシステム制御プログラムにおいて、前記判断ステップの後、前記判断ステップにより第２の商品でないと判断された場合は、アラーム通知を発するアラーム通知ステップをコンピュータに実行させることを特徴とする
ものである。【００３４】
また、本発明は、商品のチェックアウトを行うチェックアウトシステム制御方法であって、商品に関するデータが第１商品データとして登録されている第１の商品と異なる第２の商品を指定する第２商品指定ステップと、提示された第１の商品である提示商品を認識する認識ステップと、前記第２商品指定ステップにより第２の商品として指定されて提示された前記提示商品が第２の商品でないことを判断する判断ステップとを実行するものである。
【図面の簡単な説明】
【００３５】
【図１】実施の形態１に係るセルフチェックアウトシステムの構成の一例を示すブロック図である。
【図２】本発明に係るセルフチェックアウトシステムの動作の一例を示すフローチャートである。
【図３】実施の形態１に係るセルフチェックアウトシステムにおける商品情報取得処理の動作の一例を示すフローチャートである。
【図４】本発明に係るセルフチェックアウトシステムにおけるバーコードスキャン指示画面の一例を示す図である。
【図５】本発明に係るセルフチェックアウトシステムにおける商品ジャンル選択画面の一例を示す図である。
【図６】本発明に係るセルフチェックアウトシステムにおける商品種別選択画面の一例を示す図である。
【図７】本発明に係るセルフチェックアウトシステムにおける数量入力画面の一例を示す図である。
【図８】本発明に係るセルフチェックアウトシステムにおける仮置き指示画面の一例を示す図である。
【図９】本発明に係るセルフチェックアウトシステムにおける袋詰め指示画面の一例を示す図である。
【図１０】実施の形態１に係るセルフチェックアウトシステムの一例を示す外観図である。
【図１１】実施の形態２に係るセルフチェックアウトシステムの構成の一例を示すブロック図である。
【図１２】実施の形態２に係るセルフチェックアウトシステムにおける商品情報取得処理の動作の一例を示すフローチャートである。
【図１３】実施の形態２に係るセルフチェックアウトシステムの一例を示す外観図である。
【図１４】実施の形態３に係るセルフチェックアウトシステムの構成の一例を示すブロック図である。
【図１５】実施の形態３に係るセルフチェックアウトシステムにおける商品情報取得処理の動作の一例を示すフローチャートである。
【図１６】実施の形態３に係るセルフチェックアウトシステムの一例を示す外観図である。
【図１７】実施の形態３に係るセルフチェックアウトシステムの別の一例を示す外観図である。
【図１８】従来の第１のセルフチェックアウトシステムの構成の一例を示すブロック図である。
【図１９】従来の第２のセルフチェックアウトシステムの構成の一例を示すブロック図である。
【発明を実施するための最良の形態】
【００３６】
以下、本発明の実施の形態について図面を参照しつつ説明する。【００３７】
実施の形態１．
以下、チェックアウトシステムの一例であるセルフチェックアウトシステムについて説明する。また、本実施の形態においては、不正に指定された商品の検出のためにバーコードスキャナを用いるセルフチェックアウトシステムについて説明する。【００３８】
まず、本実施の形態に係るセルフチェックアウトシステムの構成について説明する。【００３９】
図１は、実施の形態１に係るセルフチェックアウトシステムの構成の一例を示すブロック図である。図１において、図１８と同一符号は図１８に示された対象と同一又は相当物を示しており、ここでの説明を省略する。図１８と比較すると図１は、セルフチェックアウトシステム制御装置１０１の代わりにセルフチェックアウトシステム制御装置３０１を備える。また、セルフチェックアウトシステム制御装置１０１と比較するとセルフチェックアウトシステム制御装置３０１は、制御部１１４の代わりに制御部３１４を備える。【００４０】
次に、本実施の形態に係るセルフチェックアウトシステムの動作について説明する。【００４１】
図２は、本発明に係るセルフチェックアウトシステムの動作の一例を示すフローチャートである。まず、制御部３１４は、ユーザの操作により個々の商品の商品情報の取得を行う（Ｓ１１）。この商品情報取得処理については後述する。次に、商品情報を取得した商品の売上登録を行う（Ｓ１２）。次に、制御部３１４は、ＬＣＤタッチスクリーン１１においてユーザによる清算の指示があったか否かの判断を行う（Ｓ１３）。清算の指示がない場合（Ｓ１３，Ｎ）、処理Ｓ１１へ戻る。一方、清算の指示があった場合（Ｓ１３，Ｙ）、制御部３１４は清算処理を行う。【００４２】
次に、商品情報取得処理の動作について説明する。【００４３】
図３は、実施の形態１に係るセルフチェックアウトシステムにおける商品情報取得処理の動作の一例を示すフローチャートである。まず、制御部３１４は、ＬＣＤタッチスクリーン１１にバーコードスキャン指示画面を表示し、バーコードスキャン指示画面においてユーザによりバーコードなし商品が選択されたか否かの判断を行う（Ｓ２１）。【００４４】
図４は、本発明に係るセルフチェックアウトシステムにおけるバーコードスキャン指示画面の一例を示す図である。バーコードあり商品の場合、ユーザはこの画面の案内に従ってバーコードのスキャンを行う。一方、バーコードなし商品の場合、ユーザはこの画面の商品選択ボタンを押すことにより、バーコードなし商品の商品情報の入力を行う。【００４５】
バーコードなし商品が選択されない場合（Ｓ２１，Ｎ）、制御部３１４は、商品に貼付されたバーコードをバーコードスキャナ１２で読み取り、商品データベース６からバーコードに対応する商品情報を取得する（Ｓ２２）。読み取りの後、制御部３１４は、商品袋置き場３の袋の中に商品を入れるよう指示する袋詰め指示画面をＬＣＤタッチスクリーン１１に表示させる（Ｓ２３）。【００４６】
次に、制御部３１４は、商品袋計測部４により袋ごとの重量を計測し、重量の増分を商品の重量の計測値として算出する（Ｓ２４）。次に、制御部３１４は、商品データベース６から得られた商品の重量の登録値と商品袋計測部４から得られた重量の計測値を比較し、重量の登録値と重量の計測値が同一であるか否かの判断を行う（Ｓ２５）。同一である場合とは、２つの値の差が所定範囲内の場合である。同一である場合（Ｓ２５，Ｙ）、このフローを終了する。一方、同一でない場合（Ｓ２５，Ｎ）、制御部３１４は、アラームの通知をＬＣＤタッチスクリーン１１に表示させる（Ｓ２６）、処理Ｓ２１へ戻る。【００４７】
上述したアラームの通知において、制御部３１４は、アラームだけでなく、操作のやり直しを指示する内容をＬＣＤタッチスクリーン１１に表示させても良い。また、アラームの通知において、制御部３１４は、ＬＣＤタッチスクリーン１１に表示させるだけでなく、通信部１５を介して外部の店員用端末にアラームを表示させても良い。【００４８】
一方、バーコードなし商品が選択された場合（Ｓ２１，Ｙ）、制御部３１４は、ＬＣＤタッチスクリーン１１におけるユーザの入力により、バーコードなし商品の商品情報の入力を取得する（Ｓ３１）。ここで、バーコードなし商品の商品情報の入力について説明する。上述したバーコードスキャン指示画面において商品選択ボタンが押下されると、制御部３１４はＬＣＤタッチスクリーン１１に商品ジャンル選択画面を表示させる。【００４９】
図５は、本発明に係るセルフチェックアウトシステムにおける商品ジャンル選択画面の一例を示す図である。この画面において、ユーザは商品のジャンルを選択する。この例では、ユーザにより野菜ボタンが押下されている。商品のジャンルが選択されると、制御部３１４は、選択された商品ジャンルに対応した商品種別選択画面をＬＣＤタッチスクリーン１１に表示させる。【００５０】
図６は、本発明に係るセルフチェックアウトシステムにおける商品種別選択画面の一例を示す図である。この画面において、ユーザは商品の種別を選択する。この例では、ユーザによりレタスボタンが押下されている。商品の種別が選択されると、制御部３１４は、数量入力画面をＬＣＤタッチスクリーン１１に表示させる。【００５１】
図７は、本発明に係るセルフチェックアウトシステムにおける数量入力画面の一例を示す図である。この画面において、ユーザは商品の数量を選択する。この例では、数値入力部においてユーザにより１が入力されている。【００５２】
次に、制御部３１４は、商品を商品仮置き台２２に置くよう指示する仮置き指示画面をＬＣＤタッチスクリーン１１に表示させる（Ｓ３２）。図８は、本発明に係るセルフチェックアウトシステムにおける仮置き指示画面の一例を示す図である。次に、制御部３１４は、商品仮置き台２２に置かれた商品の重量を商品計測部２１で計測し（Ｓ３３）、可能であれば商品のバーコードの認識を行う（Ｓ３４）。すなわち、商品仮置き台２２に置かれた商品のバーコードをバーコードスキャナ１２で読み取り、商品データベース６からバーコードに対応する商品情報を取得する。【００５３】
次に、制御部３１４は、認識結果が異常であるか否かの判断を行う（Ｓ３５）。認識結果が異常である場合とは、読み取られたバーコードに対応して商品データベース６から得られた重量の登録値と商品計測部２１から得られた重量の計測値が異なる場合である。なお、ここではユーザにより商品がバーコードなし商品と指定されているため、バーコードの読み取りが可能であった場合に、認識結果が異常であると判断しても良い。【００５４】
認識結果が異常である場合（Ｓ３５，Ｙ）、処理Ｓ２６へ移行する。一方、認識結果が正常である場合（Ｓ３５，Ｎ）、制御部３１４は、商品袋置き場３の袋の中に商品を入れるよう指示する袋詰め指示画面をＬＣＤタッチスクリーン１１に表示させる（Ｓ４３）。図９は、本発明に係るセルフチェックアウトシステムにおける袋詰め指示画面の一例を示す図である。次に、制御部３１４は、商品袋計測部４により袋ごとの重量を計測し、重量の増分を算出する（Ｓ４４）。次に、制御部３１４は、商品計測部２１から得られた重量の計測値と商品袋計測部４から得られた重量の計測値を比較し、２つの重量の計測値が同一であるか否かの判断を行う（Ｓ４５）。同一である場合とは、２つの値の差が所定範囲内の場合である。【００５５】
同一でない場合（Ｓ４５，Ｎ）、処理Ｓ２６へ移行する。一方、同一である場合（Ｓ４５，Ｙ）、このフローを終了する。【００５６】
図１０は、実施の形態１に係るセルフチェックアウトシステムの一例を示す外観図である。この図は、セルフチェックアウトシステム制御装置３０１、商品籠置き場２、商品袋置き場３と、セルフチェックアウトシステム制御装置３０１におけるＬＣＤタッチスクリーン１１、バーコードスキャナ１２、商品仮置き台２２の配置を示す。【００５７】
また、この図は、上述した処理Ｓ３４の動作を示す。ユーザがバーコードあり商品をバーコードなし商品と指定しても、商品仮置き台２２に置かれた時点でバーコードスキャナ１２によりバーコードあり商品のバーコードが読み取られる。すなわち、バーコードあり商品であっても、バーコードなし商品と指定されても、全ての商品に対してバーコードスキャナ１２を動作させる。【００５８】
なお、バーコードスキャナ１２のバーコードを読み取り可能な角度の範囲を拡大する、バーコードスキャナ１２の感度を上げる、等によりバーコードなし商品と指定された商品のバーコードの読み取り成功率を向上させても良い。【００５９】
また、本実施の形態においては、商品データベース６がセルフチェックアウトシステム制御装置３０１の外部にあり、通信部１５を介して接続されるとしたが、商品データベースがセルフチェックアウトシステム制御装置３０１の内部にあっても良い。【００６０】
また、本実施の形態においては、チェックアウトシステムの一例としてセルフチェックアウトシステムについて説明したが、店員が操作するチェックアウトシステムにも適用可能である。【００６１】
本実施の形態によれば、不正操作を防止するだけでなく、チェックアウトシステムにおけるバーコードなし商品の商品情報の入力時の入力ミスを防止することができる。【００６２】
また、本実施の形態によれば、常にユーザがバーコードあり商品をバーコードなし商品とチェックアウト操作が行われた場合でも、バーコードの読み取りを行うことにより、バーコードあり商品がバーコードなし商品としてチェックアウトされることを防止することができる。【００６３】
また、本実施の形態によれば、バーコードスキャン指示画面、仮置き指示画面、袋詰め指示画面のようにセルフチェックアウトシステム全体図と共に、ユーザが操作すべき部分の図を表示することにより、不正操作防止のための操作の指示を確実に行うことができる。【００６４】
実施の形態２．
本実施の形態においては、ユーザにより偽って指定された商品の検出のためにタグリーダを用いるセルフチェックアウトシステムについて説明する。【００６５】
まず、本実施の形態に係るセルフチェックアウトシステムの構成について説明する。【００６６】
図１１は、実施の形態２に係るセルフチェックアウトシステムの構成の一例を示すブロック図である。図１１において、図１と同一符号は図１に示された対象と同一又は相当物を示しており、ここでの説明を省略する。図１と比較すると図１１は、セルフチェックアウトシステム制御装置３０１の代わりにセルフチェックアウトシステム制御装置４０１を備え、商品データベース６の代わりに商品データベース４０６を備える。また、セルフチェックアウトシステム制御装置３０１と比較するとセルフチェックアウトシステム制御装置４０１は、制御部３１４の代わりに制御部４１４を備え、新たにタグリーダ４２３を備える。【００６７】
タグリーダ４２３は、商品に付けられたタグを読み取るものである。タグは例えば、ＥＡＳ（Electronic Article Surveillance）タグ、磁気タグ、ＲＦ（Radio Frequency）ＩＤタグ、等であり、これに対応するタグリーダはそれぞれ、ＥＡＳアンテナ、磁気タグリーダ、ＲＦＩＤリーダである。また、予め高額商品等、特定の商品にこれらのタグを貼付すると共に、商品データベース６の商品情報の他にタグに対応する情報を商品データベース４０６に登録しておく。【００６８】
次に、本実施の形態に係るセルフチェックアウトシステムの動作について説明する。【００６９】
本実施の形態に係るセルフチェックアウトシステムの動作は、図２と同様であるが、商品情報取得処理の内容が異なる。図１２は、実施の形態２に係るセルフチェックアウトシステムにおける商品情報取得処理の動作の一例を示すフローチャートである。図１２において、図３と同一符号は図３に示された対象と同一又は相当物を示しており、ここでの説明を省略する。図３と比較すると図１２は、処理Ｓ３４の代わりに処理Ｓ３６を実行し、処理Ｓ３５の代わりに処理Ｓ３７を実行する。【００７０】
処理Ｓ３３の後、制御部４１４は、可能であればタグリーダ４２３による商品の認識を行う（Ｓ３６）。すなわち、制御部４１４は、商品のタグをタグリーダ４２３で読み取らせ、商品データベース４０６からタグに対応する商品情報を取得する。次に、制御部４１４は、認識結果が異常であるか否かの判断を行う（Ｓ３７）。認識結果が異常である場合とは、読み取られたタグに対応して商品データベース４０６から得られた重量の登録値と商品計測部２１から得られた重量の計測値が異なる場合である。認識結果が異常である場合（Ｓ３７，Ｙ）、処理Ｓ２６へ移行する。一方、認識結果が正常である場合（Ｓ３７，Ｎ）、処理Ｓ４３へ移行する。【００７１】
図１３は、実施の形態２に係るセルフチェックアウトシステムの一例を示す外観図である。この図は、セルフチェックアウトシステム制御装置４０１、商品籠置き場２、商品袋置き場３と、セルフチェックアウトシステム制御装置４０１におけるタグリーダ４２３の配置を示す。ＬＣＤタッチスクリーン１１、バーコードスキャナ１２、商品仮置き台２２の配置は図１０と同様である。ユーザがバーコードなし商品のチェックアウト操作を行う場合、商品仮置き台２２に置かれた時点でタグリーダ４２３によりタグが読み取られる。【００７２】
なお、本実施の形態において、バーコードとは別に特定の商品にタグを貼付するとしたが、商品にバーコードを貼付する代わりにタグを貼付し、バーコードスキャナ１２を持たないセルフチェックアウトシステムとしても良い。【００７３】
本実施の形態によれば、タグとタグリーダを用いることにより、置き方によらず、商品仮置き台２２に近接するだけで商品情報を取得することができ、実施の形態１に比べて不正操作によるチェックアウトの可能性を低減することができる。【００７４】
実施の形態３．
本実施の形態においては、ユーザにより偽って指定された商品の検出のために商品の特徴を認識するセルフチェックアウトシステムについて説明する。【００７５】
まず、本実施の形態に係るセルフチェックアウトシステムの構成について説明する。【００７６】
図１４は、実施の形態３に係るセルフチェックアウトシステムの構成の一例を示すブロック図である。図１４において、図１と同一符号は図１に示された対象と同一又は相当物を示しており、ここでの説明を省略する。図１と比較すると図１４は、セルフチェックアウトシステム制御装置３０１の代わりにセルフチェックアウトシステム制御装置５０１を備え、商品データベース６の代わりに商品データベース５０６を備える。また、セルフチェックアウトシステム制御装置３０１と比較するとセルフチェックアウトシステム制御装置５０１は、制御部３１４の代わりに制御部５１４を備え、新たに商品認識部５２３を備える。【００７７】
商品認識部５２３は、例えば、ゲートセンサ、ＣＣＤセンサアレイ、Ｃ−ＭＯＳセンサアレイ、色彩センサ、カメラ等のセンサである。また、商品データベース６の商品情報の他に商品のサイズや形状や色等、バーコードなし商品の特徴の情報を商品データベース５０６に登録しておく。【００７８】
次に、本実施の形態に係るセルフチェックアウトシステムの動作について説明する。【００７９】
本実施の形態に係るセルフチェックアウトシステムの動作は、図２と同様であるが、商品情報取得処理の内容が異なる。図１５は、実施の形態３に係るセルフチェックアウトシステムにおける商品情報取得処理の動作の一例を示すフローチャートである。図１５において、図３と同一符号は図３に示された対象と同一又は相当物を示しており、ここでの説明を省略する。図３と比較すると図１５は、処理Ｓ３４の代わりに処理Ｓ３８を実行し、処理Ｓ３５の代わりに処理Ｓ３９を実行する。【００８０】
処理Ｓ３３の後、制御部５１４は、商品認識部５２３により商品の特徴の認識を行う（Ｓ３８）。次に、制御部５１４は、認識結果が異常であるか否かの判断を行う（Ｓ３９）。認識結果が異常である場合とは、商品認識部５２３により得られた商品の特徴が、ユーザにより指定されたバーコードなし商品について商品データベース５０６から得られる商品の特徴と異なる場合である。認識結果が異常である場合（Ｓ３９，Ｙ）、処理Ｓ２６へ移行する。一方、認識結果が正常である場合（Ｓ３９，Ｎ）、処理Ｓ４３へ移行する。【００８１】
図１６は、実施の形態３に係るセルフチェックアウトシステムの一例を示す外観図である。この図は、セルフチェックアウトシステム制御装置５０１、商品籠置き場２、商品袋置き場３と、セルフチェックアウトシステム制御装置５０１における商品認識部５２３の配置を示す。ＬＣＤタッチスクリーン１１、バーコードスキャナ１２、商品仮置き台２２の配置は図１０と同様である。【００８２】
この図の例において、商品認識部５２３はゲートセンサである。ユーザがバーコードなし商品のチェックアウト操作を行う場合、商品仮置き台２２に置かれた時点でゲートセンサにより商品の高さが認識される。ゲートセンサは、例えばこの図のように上下に配置された２つの光センサで構成され、上の光センサは商品の高さが５０ｍｍ以上であることを検出し、下の光センサは高さが５０ｍｍ以下であることを検出する。【００８３】
この場合、商品データベース５０６には予めバーコードなし商品の特徴として高さの情報が登録されている。また、処理Ｓ３８において商品認識部５２３は、商品の高さを認識し、処理Ｓ３９において商品認識部５２３から得られた高さと商品データベース５０６から得られる高さと比較し、２つの値の差が所定範囲内でなければ、認識結果が異常と判断する。【００８４】
図１７は、実施の形態３に係るセルフチェックアウトシステムの別の一例を示す外観図である。この図は、セルフチェックアウトシステム制御装置５０１、商品籠置き場２、商品袋置き場３と、セルフチェックアウトシステム制御装置５０１における商品認識部５２３の配置を示す。ＬＣＤタッチスクリーン１１、バーコードスキャナ１２、商品仮置き台２２の配置は図１０と同様である。【００８５】
この図の例において、商品認識部５２３はＣＣＤセンサアレイである。ユーザがバーコードなし商品のチェックアウト操作を行う場合、商品仮置き台２２に置かれた時点でＣＣＤセンサアレイにより商品の形状が認識される。ＣＣＤセンサアレイを構成するＣＣＤセンサは、例えばこの図のように商品仮置き台２２に水平面内に並べられ、水平方向の形状を検出する。【００８６】
この場合、商品データベース５０６には予めバーコードなし商品の特徴として水平方向の形状の情報が登録されている。また、処理Ｓ３８において商品認識部５２３は、商品の形状を認識し、処理Ｓ３９において商品認識部５２３から得られた形状と商品データベース５０６から得られる形状と比較し、２つの形状の差が所定範囲内でなければ、認識結果が異常と判断する。【００８７】
なお、本実施の形態においては、商品認識部５２３を用いたチェックを行うことから、商品計測部２１を持たず、処理Ｓ３３の重量計測や処理Ｓ４５の重量チェックを行わないセルフチェックアウトシステムとしても良い。【００８８】
また、本実施の形態においては、商品データベース５０６には予めバーコードなし商品の特徴を登録し、バーコードなし商品の商品情報取得処理が行われた場合のみ商品認識部５２３による特徴の認識とチェックを行うとしたが、商品データベース５０６に予めバーコードなし商品以外の特徴も登録し、全ての商品に対して商品認識部５２３による特徴の認識とチェックを行う構成としても良い。【００８９】
また、本実施の形態における商品認識部５２３は、１次元や２次元のサイズや形状の認識を行ったが、複数のセンサや商品仮置き台２２の移動により、３次元のサイズや形状の認識を行う構成としても良い。【００９０】
本実施の形態によれば、商品のサイズや形状や色等の特徴を認識することにより、バーコードやその他のタグが貼付されていない商品であっても不正操作を防止することができる。【００９１】
更に、チェックアウトシステムを構成するコンピュータにおいて上述した各ステップを実行させるプログラムを、チェックアウトシステム制御プログラムとして提供することができる。上述したプログラムは、コンピュータにより読取り可能な記録媒体に記憶させることによって、チェックアウトシステムを構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。【００９２】
なお、第１の商品は、実施の形態におけるバーコードあり商品に対応する。また、第２の商品は、実施の形態におけるバーコードなし商品に対応する。また、タグデータは、実施の形態におけるバーコード、ＥＡＳタグ、磁気タグ、ＲＦＩＤタグから得られるデータに対応する。【００９３】
また、第１商品データ取得部は、実施の形態における通信部に対応する。また、第２商品データ取得部は、実施の形態における通信部に対応する。また、認識部は、実施の形態におけるバーコードスキャナまたはタグリーダに対応する。また、第２商品指定部とアラーム通知部は、実施の形態におけるＬＣＤタッチスクリーンに対応する。また、判断部は、実施の形態における制御部、商品計測部、、商品認識部に対応する。また、重量計測部は、実施の形態における商品計測部に対応する。また、サイズパラメータ検出部、形状検出部は、実施の形態における商品認識部に対応する。【００９４】
また、第２商品指定ステップは、実施の形態における処理Ｓ３１に対応する。また、認識ステップは、実施の形態における処理Ｓ３４に対応する。また、判断ステップは、実施の形態における処理Ｓ３４，Ｓ３５，Ｓ３６，Ｓ３７，Ｓ３８，Ｓ３９に対応する。また、第１商品データ取得ステップは、実施の形態における処理Ｓ３４，Ｓ３６に対応する。また、第２商品データ取得ステップは、実施の形態における処理Ｓ３９に対応する。また、アラーム通知ステップは、実施の形態における処理Ｓ２６に対応する。
【産業上の利用可能性】
【００９５】
以上説明したように、チェックアウトが行われる商品が、ユーザにより偽って指定された商品と異なることを認識し、不正操作を防止することにより、チェックアウトシステムの信頼性が向上し、チェックアウトシステムの普及につながる。
【図１】
2007029321.tif 000002
【図２】
2007029321.tif 000003
【図３】
2007029321.tif 000004
【図４】
2007029321.tif 000005
【図５】
2007029321.tif 000006
【図６】
2007029321.tif 000007
【図７】
2007029321.tif 000008
【図８】
2007029321.tif 000009
【図９】
2007029321.tif 000010
【図１０】
2007029321.tif 000011
【図１１】
2007029321.tif 000012
【図１２】
2007029321.tif 000013
【図１３】
2007029321.tif 000014
【図１４】
2007029321.tif 000015
【図１５】
2007029321.tif 000016
【図１６】
2007029321.tif 000017
【図１７】
2007029321.tif 000018
【図１８】
2007029321.tif 000019
【図１９】
2007029321.tif 000020
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
商品のチェックアウトを行うチェックアウトシステムであって、
商品に関するデータが第１商品データとして登録されている第１の商品と異なる第２の商品を指定する第２商品指定部と、
提示された第１の商品である提示商品を認識する認識部と、
前記第２商品指定部により第２の商品として指定されて提示された前記提示商品が第２の商品でないことを判断する判断部と
を備えてなるチェックアウトシステム。
【請求項２】
請求項１に記載のチェックアウトシステムにおいて、
前記認識部により認識された第１の商品の第１商品データを取得する第１商品データ取得部を備え、
前記判断部は、前記第１商品データ取得部により取得された第１商品データを用いて前記提示商品が第２の商品でないことを判断することを特徴とするチェックアウトシステム。
【請求項３】
請求項２に記載のチェックアウトシステムにおいて、
前記第１商品データは第１の商品に付されたタグのタグデータを含み、
前記認識部は提示される商品に付されたタグのタグデータを読み取るタグリーダを備えていることを特徴とするチェックアウトシステム。
【請求項４】
請求項２または請求項３に記載のチェックアウトシステムにおいて、
前記第１商品データは第１の商品に付されたタグのタグデータを含み、
前記判断部は提示される商品に付されたタグのタグデータを読み取るタグリーダを備えていることを特徴とするチェックアウトシステム。
【請求項５】
請求項２乃至請求項４のいずれかに記載のチェックアウトシステムにおいて、
前記第１商品データは第１の商品の重量を含み、
前記判断部は提示される商品の重量を計測する重量計測部を備えていることを特徴とするチェックアウトシステム。
【請求項６】
請求項１に記載のチェックアウトシステムにおいて、
第２の商品に関するデータである第２商品データを取得する第２商品データ取得部を備え、
前記判断部は、前記第２商品データ取得部により取得された第２商品データを用いて前記提示商品が第２の商品でないことを判断することを特徴とするチェックアウトシステム。
【請求項７】
請求項１乃至請求項６のいずれかに記載のチェックアウトシステムにおいて、
前記判断部により前記提示商品が第２の商品でないと判断された場合は、前記第２商品指定部により第２の商品として指定される前の状態に戻すことを特徴とするチェックアウトシステム。
【請求項８】
請求項１乃至請求項７のいずれかに記載のチェックアウトシステムにおいて、
前記判断部により第２の商品でないと判断された場合は、アラーム通知を発するアラーム通知部を備えていることを特徴とするチェックアウトシステム。
【請求項９】
商品のチェックアウトを行うチェックアウトシステム制御方法をコンピュータに実行させるチェックアウトシステム制御プログラムであって、
商品に関するデータが第１商品データとして登録されている第１の商品と異なる第２の商品を指定する第２商品指定ステップと、
提示された第１の商品である提示商品を認識する認識ステップと、
前記第２商品指定ステップにより第２の商品として指定されて提示された前記提示商品が第２の商品でないことを判断する判断ステップと
をコンピュータに実行させるチェックアウトシステム制御プログラム。
【請求項１０】
商品のチェックアウトを行うチェックアウトシステム制御方法であって、
商品に関するデータが第１商品データとして登録されている第１の商品と異なる第２の商品を指定する第２商品指定ステップと、
提示された第１の商品である提示商品を認識する認識ステップと、
前記第２商品指定ステップにより第２の商品として指定されて提示された前記提示商品が第２の商品でないことを判断する判断ステップと
を実行するチェックアウトシステム制御方法。
【国際調査報告】
2007029321.tif 000021
2007029321.tif 000022
2007029321.tif 000023